(57)【要約】【課題】複数段の引出トレイを有する多段式の排出トレイの各引出トレイを順次引き出した場合に、引き出した引出トレイにおけるシートを支持するシート支持部の長さが、引出トレイが多段になるにつれて短くなることを抑制することが可能な記録装置を提供する。【解決手段】インクジェット式プリンターは、本体ケースと、用紙に印刷を行う記録ヘッドと、印刷が行われた用紙を排紙する排紙口と、本体ケースに対して用紙の排紙方向に引き出し可能に収納され、排紙口から排紙される用紙が積載される多段式の排紙トレイ２１とを備える。排紙トレイ２１は、排紙方向に順次引き出される第１引出トレイ３１及び第２引出トレイ３２を備える。第２引出トレイ３２は、排紙方向に引き出された状態において、用紙を支持する第１用紙支持部４５と、第１用紙支持部４５の後側に形成されるとともに第１引出トレイ３１に重なるように支持される第１舌片部４６とを備える。【選択図】図９
2013166633.tif 000002
【特許請求の範囲】
【請求項１】
筐体と、
前記筐体内に配置され、シートに記録処理を行う記録部と、
前記記録部によって記録処理が行われた前記シートを排出する排出口と、
前記筐体に対して前記排出口から排出される前記シートの排出方向に引き出し可能に収納され、前記排出口から排出される前記シートが積載される多段式の排出トレイと
を備えた記録装置であって、
前記排出トレイは、前記シートの排出方向に順次引き出される複数段の引出トレイを備え、
Ｎ＋１段目（但し、Ｎは自然数）の前記引出トレイは、前記排出方向に引き出された状態において、前記シートを支持するシート支持部と、前記シート支持部とは異なる位置に形成されるとともにＮ段目の前記引出トレイに重なるように支持される重なり部とを備えたことを特徴とする記録装置。
【請求項２】
Ｎ＋１段目の前記引出トレイの重なり部は、前記排出トレイの引き出し方向側とは反対側に形成されていることを特徴とする請求項１に記載の記録装置。
【請求項３】
前記筐体に対して前記排出トレイを収納した状態では、Ｎ＋２段目の前記引出トレイとＮ＋１段目の前記引出トレイとの重なり部と、Ｎ＋１段目の前記引出トレイとＮ段目の前記引出トレイとの重なり部とが、前記排出トレイに対する前記シートの積載方向において重なることを特徴とする請求項２に記載の記録装置。
【請求項４】
Ｎ＋２段目の前記引出トレイとＮ＋１段目の前記引出トレイとの重なり部と、Ｎ＋１段目の前記引出トレイとＮ段目の前記引出トレイとの重なり部とは、前記排出トレイの引き出し方向側とは反対側の端部が揃っていることを特徴とする請求項３に記載の記録装置。
【発明の詳細な説明】
【技術分野】
【０００１】
本発明は、例えばインクジェット式プリンターなどの記録装置に関する。
【背景技術】
【０００２】
一般に、記録装置の一種として、記録ヘッドから用紙にインクを噴射させて印刷を行うインクジェット式プリンターが広く知られている。このプリンターでは、走査方向に往復移動するキャリッジに支持された記録ヘッドのノズルからインク滴を、走査方向と直交する方向に給送される用紙に噴射して付着させることで印刷を行っている。そして、印刷された用紙は、排紙口から排紙トレイ上に順次排紙される。
【０００３】
こうしたプリンターでは、使用時に、複数のトレイを順次用紙の排紙方向に引き出して伸長させる多段式の排紙トレイが多く採用されている（例えば、特許文献１）。この特許文献１の排紙トレイ（排出トレイ）は、外装ケース（筐体）から引き出される引出トレイと、引出トレイにスライド自在に支持された伸長トレイとを備えている。伸長トレイは、伸長トレイを引出トレイから引き出した際に、引出トレイから抜け出さないように、引出トレイの係止部に係止されるストッパーを備えている。
【先行技術文献】
【特許文献】
【０００４】
【特許文献１】特開２００６−１８２５４２号公報
【発明の概要】
【発明が解決しようとする課題】
【０００５】
ところで、特許文献１の排紙トレイでは、引出トレイから伸長トレイを、ストッパーが係止部に係止されるまで、最大限引き出した場合でも、引出トレイに伸長トレイが支持されるように、伸長トレイの一部を上下方向において引出トレイと重なるようにする必要がある。
【０００６】
このため、伸長トレイにおける引出トレイとの重なり部分は、用紙（シート）の支持部（シート支持部）として使用できなくなるので、伸長トレイにおける用紙の支持部の長さは、引出トレイにおける用紙の支持部の長さよりも短くなってしまう。したがって、排紙トレイは、引出トレイが多段になるにつれて（引出トレイの段数が増えるにつれて）、引出トレイにおける用紙の支持部の長さが短くなってしまうという問題がある。
【０００７】
本発明は、このような従来技術に存在する問題点に着目してなされたものである。その目的とするところは、複数段の引出トレイを有する多段式の排出トレイの各引出トレイを順次引き出した場合に、引き出した引出トレイにおけるシートを支持するシート支持部の長さが、引出トレイが多段になるにつれて短くなることを抑制することが可能な記録装置を提供することにある。
【課題を解決するための手段】
【０００８】
上記目的を達成するために、本発明の記録装置は、筐体と、前記筐体内に配置され、シートに記録処理を行う記録部と、前記記録部によって記録処理が行われた前記シートを排出する排出口と、前記筐体に対して前記排出口から排出される前記シートの排出方向に引き出し可能に収納され、前記排出口から排出される前記シートが積載される多段式の排出トレイとを備えた記録装置であって、前記排出トレイは、前記シートの排出方向に順次引き出される複数段の引出トレイを備え、Ｎ＋１段目（但し、Ｎは自然数）の前記引出トレイは、前記排出方向に引き出された状態において、前記シートを支持するシート支持部と、前記シート支持部とは異なる位置に形成されるとともにＮ段目の前記引出トレイに重なるように支持される重なり部とを備えた。
【０００９】
この発明によれば、Ｎ＋１段目の引出トレイは、シートを支持するシート支持部とは別に重なり部を備えているため、Ｎ＋１段目の引出トレイのシート支持部は、Ｎ段目の引出トレイとほとんど重なることはない。したがって、複数段の引出トレイを有する多段式の排出トレイの各引出トレイを順次引き出した場合に、引き出した引出トレイにおけるシートを支持するシート支持部の長さが、引出トレイが多段になるにつれて短くなることを抑制することが可能となる。
【００１０】
本発明の記録装置において、Ｎ＋１段目の前記引出トレイの重なり部は、前記排出トレイの引き出し方向側とは反対側に形成されている。
この発明によれば、Ｎ段目の引出トレイからＮ＋１段目の引出トレイを引き出した際に、Ｎ＋１段目の引出トレイの重なり部を、Ｎ段目の引出トレイに容易に重ねて支持させることが可能となる。
【００１１】
本発明の記録装置は、前記筐体に対して前記排出トレイを収納した状態では、Ｎ＋２段目の前記引出トレイとＮ＋１段目の前記引出トレイとの重なり部と、Ｎ＋１段目の前記引出トレイとＮ段目の前記引出トレイとの重なり部とが、前記排出トレイに対する前記シートの積載方向において重なる。
【００１２】
この発明によれば、筐体に対して各引出トレイ（排出トレイ）をコンパクトに収納することが可能となる。
本発明の記録装置において、Ｎ＋２段目の前記引出トレイとＮ＋１段目の前記引出トレイとの重なり部と、Ｎ＋１段目の前記引出トレイとＮ段目の前記引出トレイとの重なり部とは、前記排出トレイの引き出し方向側とは反対側の端部が揃っている。
【００１３】
この発明によれば、筐体に対して各引出トレイ（排出トレイ）を整った状態で収納することが可能となる。
【図面の簡単な説明】
【００１４】
【図１】第１実施形態のインクジェット式プリンターの模式図。
【図２】同プリンターの収納状態の排紙トレイの斜視図。
【図３】図２の排紙トレイを下側から見たときの斜視図。
【図４】図２の４−４線断面図。
【図５】図２の５−５線断面図。
【図６】図２の６−６線断面図。
【図７】同プリンターの引き出し状態の排紙トレイの斜視図。
【図８】図７の排紙トレイを下側から見たときの斜視図。
【図９】図７の９−９線断面図。
【図１０】第２実施形態のプリンターの引き出し状態の排紙トレイの斜視図。
【図１１】同プリンターにおいて排紙トレイを引き出したときの状態を示す下側からの斜視図。
【図１２】同プリンターにおいて排紙トレイを収納したときの状態を示す下側からの斜視図。
【図１３】同プリンターの収納状態の排紙トレイの斜視図。
【発明を実施するための形態】
【００１５】
（第１実施形態）
以下、本発明の記録装置をインクジェット式プリンターに具体化した第１実施形態について、図面に従って説明する。また、以下の説明において、「前後方向」、「左右方向」、「上下方向」をいう場合は各図中に矢印で示す前後方向、左右方向、上下方向をそれぞれ示すものとする。なお、図面中の上方向、右方向及び前方向を示す矢印において、「○」の中に「・」が記載されたもの（矢の先端を前から見た図）は紙面の裏から表に向かう矢印を意味し、「○」の中に「×」が記載されたもの（矢の羽根を後ろから見た図）は紙面の表から裏に向かう矢印を意味するものとする。
【００１６】
図１に示すように、記録装置としてのインクジェット式プリンター１１は略直方体状をなす筐体としての本体ケース１２を備えている。本体ケース１２の後面側にはシートとしての用紙Ｐを給紙するための給紙装置１３が搭載されている。給紙装置１３は、給紙トレイ１４、ホッパー１５、及びエッジガイド１６を有する用紙ガイド１７と、該用紙ガイド１７に積層状態で載置された複数の用紙Ｐを一枚ずつ本体ケース１２内に給紙する給紙駆動機構（図示略）とを備えている。
【００１７】
本体ケース１２内には、走査方向である左右方向に往復移動するキャリッジ１８が設けられている。キャリッジ１８の下部には、記録部としての記録ヘッド１９が支持されている。
【００１８】
そして、用紙Ｐへの印刷（記録処理）は、キャリッジ１８を左右方向に移動させる過程で記録ヘッド１９から用紙Ｐにインクを噴射する記録動作と、用紙Ｐを走査方向と直交する前方向に所定の給送量で給送する給送動作とを交互に繰り返すことによって行われる。印刷された用紙Ｐは、本体ケース１２の前面下部に開口する排出口としての排紙口２０から前方に向かって排紙（排出）される。
【００１９】
また、本体ケース１２における排紙口２０の下側には、排紙口２０から排紙される用紙Ｐを順次重ねるように積載するための多段式（本実施形態では、２段式）の排出トレイとしての排紙トレイ２１が設けられている。排紙トレイ２１は、本体ケース１２に対して、排紙口２０から排紙される用紙Ｐの排紙方向である前方に向かって引き出し可能に収納されている。
【００２０】
この場合、排紙トレイ２１は、本体ケース１２への収納状態において、その下端が本体ケース１２の下端よりも上側に位置している。このため、排紙トレイ２１を本体ケース１２から引き出したり本体ケース１２に収納したりしても、インクジェット式プリンター１１（本体ケース１２）を載置した載置面に該排紙トレイ２１が接触することはない。
【００２１】
図２及び図３に示すように、排紙トレイ２１は、本体ケース１２に一体形成された前後方向に延びるとともに内側にレール溝３０ａを有する左右一対のレール部材３０によって前後方向に摺動移動可能に挟持されている。
【００２２】
この場合、各レール部材３０は、前方に向かって若干上昇するように傾斜している。レール溝３０ａは、前後両端側及び内側が開口している。各レール部材３０の前端部における下端部には、内側に向かって突出する第１ストッパー３０ｂが形成されている。
【００２３】
排紙トレイ２１は、矩形状であるとともに、排紙口２０から排紙される用紙Ｐの排紙方向である前方に向かって引き出される複数段（本実施形態では、２段）の引出トレイである第１引出トレイ３１及び第２引出トレイ３２を備えている。
【００２４】
すなわち、排紙トレイ２１は、レール部材３０によって前後方向に摺動可能に支持されたＮ段目の引出トレイとしての１段目の第１引出トレイ３１と、第１引出トレイ３１によって前後方向に摺動可能に支持されたＮ＋１段目の引出トレイとしての２段目の第２引出トレイ３２とを備えている。第１引出トレイ３１及び第２引出トレイ３２は、いずれも矩形状をなしている。そして、第２引出トレイ３２の左右方向の幅は、第１引出トレイ３１の幅よりも狭くなっている。
【００２５】
第１引出トレイ３１は、下側及び前側が開口するとともに深さが浅い有底矩形箱状をなしている。第１引出トレイ３１は、後壁の高さが左右両側壁の高さよりも若干低くなっている。第１引出トレイ３１の上面には、前後方向に延びるとともに左右方向に等間隔で配置された複数（本実施形態では５つ）のリブ３１ａが形成されている。
【００２６】
第１引出トレイ３１の後壁内面には、左右方向の中央部を挟んで配置されるとともに前方に向かって突出する左右一対の矩形板状の係止片３３が設けられている。各係止片３３の上面における先端部には、断面視略半円形状をなすとともに左右方向に延びる凸条３３ａがそれぞれ形成されている。
【００２７】
図４及び図５に示すように、第１引出トレイ３１の左右両側端部には、各レール部材３０のレール溝３０ａにそれぞれ摺動可能に挿入された前後方向に延びる第１摺動部３４がそれぞれ形成されている。第１引出トレイ３１の下面における後端側の２つのコーナー部の直ぐ内側には、第１引出トレイ３１を前方へ引き出した際に、各レール部材３０の第１ストッパー３０ｂと前後方向において係合する第１係合凸部３５がそれぞれ設けられている。
【００２８】
図３及び図４に示すように、第１引出トレイ３１の下面における各係合凸部３５の直ぐ内側には、第２引出トレイ３２を前後方向に摺動可能に支持する左右一対の支持部材３６が設けられている。各支持部材３６は、下方に向かって突出するとともに前後方向に延びる縦板部３７と、縦板部３７の下端から内側に向かって突出するとともに前後方向に延びる第１横板部３８と、縦板部３７の内面における第１横板部３８よりも上側から内側に向かって突出するとともに前後方向に延びる第２横板部３９とをそれぞれ備えている。
【００２９】
両横板部３８，３９は互いに平行に延びるとともに、両横板部３８，３９間には前後方向に延びる摺動溝４０が形成されている。すなわち、摺動溝４０は、縦板部３７の内面と、第１横板部３８の上面と、第２横板部３９の下面とによって形成されるとともに、前後両端側及び内側が開口している。第１横板部３８の前端部には、内側に向かって突出する第２ストッパー４１が形成されている。
【００３０】
各縦板部３７の外側の面において、後端部には後側係止凸部３６ａがそれぞれ設けられる一方、前端部には前側係止凸部３６ｂがそれぞれ設けられている。各前側係止凸部３６ｂは、排紙トレイ２１の収納状態において、各レール部材３０の第１ストッパー３０ｂにそれぞれ係止される。一方、各後側係止凸部３６ａは、排紙トレイ２１が前方へ引き出された状態において、各レール部材３０の第１ストッパー３０ｂにそれぞれ係止される。
【００３１】
図２〜図４に示すように、第２引出トレイ３２は、下側が開口するとともに深さが浅い有底矩形箱状をなし且つ排紙口２０（図１参照）から排紙される用紙Ｐ（図１参照）を支持するシート支持部としての第１用紙支持部４５と、第１用紙支持部４５の後壁の下端から後方へ向かって延びる重なり部としての矩形板状の第１舌片部４６とを備えている。
【００３２】
第２引出トレイ３２において、第１舌片部４６は、第１用紙支持部４５とは異なる位置であって、排紙トレイ２１の引き出し方向側である前側とは反対側の後側に形成されている。排紙トレイ２１の収納状態において、第１用紙支持部４５は第１引出トレイ３１内に収納されるとともに、第１舌片部４６は第１引出トレイ３１の後壁の下側から該後壁よりも後側へ突出している。すなわち、排紙トレイ２１の収納状態において、第１舌片部４６は第１引出トレイ３１から後側へはみ出している。
【００３３】
第１用紙支持部４５の後壁における第１引出トレイ３１の各係止片３３と前後方向において対向する位置には、係止孔４７がそれぞれ貫通するように形成されている。そして、排紙トレイ２１の収納状態では、各係止孔４７に各係止片３３が挿通された状態で係止される。
【００３４】
図４及び図６に示すように、第２引出トレイ３２の第１用紙支持部４５の左右両側端部には、第１引出トレイ３１の第２横板部３９が収納される収納溝４８が前後方向に延びるようにそれぞれ形成されている。各収納溝４８は、外側及び後側において開口している。各収納溝４８の下側には、該各収納溝４８と隣接するとともに第１引出トレイ３１の摺動溝４０に摺動可能に挿入された前後方向に延びる第２摺動部４９がそれぞれ形成されている。
【００３５】
図３及び図６に示すように、第２引出トレイ３２の第１用紙支持部４５の下面の前端部における左右両端部には、第２引出トレイ３２を前方へ引き出した際に、第１引出トレイ３１の各第２ストッパー４１と前後方向においてそれぞれ係合する第２係合凸部５０がそれぞれ設けられている。
【００３６】
図４及び図７に示すように、第２引出トレイ３２の第１用紙支持部４５の上面における中央部には、略矩形状の収納凹部５１が形成されている。収納凹部５１の前端は、第１用紙支持部４５の前端まで達している。すなわち、収納凹部５１の前端は、前方に向かって開口している。
【００３７】
また、第１用紙支持部４５の前端部には、補助トレイ５２が軸支されている。すなわち、補助トレイ５２は、収納凹部５１に収納可能な矩形板状をなすとともに、基端部に位置する被支持部５２ａが第１用紙支持部４５の前端部に左右方向に延びる軸線を中心に回動可能に支持されている。したがって、補助トレイ５２は、第２引出トレイ３２の収納凹部５１に収納された収納位置（図４に示す位置）と、第１用紙支持部４５の前端部から前斜め上方に向かって延びる使用位置（図７に示す位置）との間で回動可能になっている。
【００３８】
次に、インクジェット式プリンター１１の作用について説明する。
さて、用紙Ｐの印刷を行う場合には、まず、本体ケース１２に収納されている排紙トレイ２１を本体ケース１２から前方へ引き出す。すると、各前側係止凸部３６ｂと各レール部材３０の第１ストッパー３０ｂとの係止状態が解除され、第１引出トレイ３１の各第１摺動部３４が各レール部材３０のレール溝３０ａ内を摺動して該第１引出トレイ３１が第２引出トレイ３２とともに前方へ引き出される。
【００３９】
このとき、図８に示すように、各後側係止凸部３６ａが各レール部材３０の第１ストッパー３０ｂにそれぞれ係止されるとともに、該各第１ストッパー３０ｂに各第１係合凸部３５がそれぞれ係合する。これにより、各レール部材３０のレール溝３０ａからの第１引出トレイ３１の抜け落ちが抑制される。
【００４０】
引き続き、第１引出トレイ３１から第２引出トレイ３２を前方へ向かって引き出すと、図８及び図９に示すように、各係止孔４７と各係止片３３との係止状態が解除され、第２引出トレイ３２の各第２摺動部４９が第１引出トレイ３１の各摺動溝４０内を摺動して第１引出トレイ３１から第２引出トレイ３２が前方へ引き出される。
【００４１】
このとき、第１引出トレイ３１の各第２ストッパー４１に第２引出トレイ３２の各第２係合凸部５０がそれぞれ係合する。これにより、第１引出トレイ３１の各摺動溝４０内からの第２引出トレイ３２の抜け落ちが抑制される。その後、補助トレイ５２を収納位置から使用位置へ回動させることで、排紙トレイ２１の準備が整う。
【００４２】
この場合、第２引出トレイ３２は、用紙Ｐを支持する第１用紙支持部４５とは別に形成された第１舌片部４６が第１引出トレイ３１に上下に重なるように支持される。すなわち、第２引出トレイ３２は、第１舌片部４６の左右両端部が第１引出トレイ３１の各摺動溝４０にそれぞれ挿通された状態で支持される。このため、第２引出トレイ３２の第１用紙支持部４５は、第１引出トレイ３１と上下にほとんど重なることがない。
【００４３】
したがって、第２引出トレイ３２の第１用紙支持部４５の前後方向のほぼ全ての長さ分が用紙Ｐを支持するための領域に充てられる。この結果、第２引出トレイ３２における用紙Ｐを支持することが可能な前後方向の長さが、第１引出トレイ３１における用紙Ｐを支持することが可能な前後方向の長さに比べて短くなることが抑制される。
【００４４】
因みに、第２引出トレイ３２に第１舌片部４６が形成されていない場合には、第２引出トレイ３２における用紙Ｐを支持することが可能な前後方向の長さの一部を、第１引出トレイ３１に重なるように支持される長さ分に充てなければならない。このため、第２引出トレイ３２における用紙Ｐを支持することが可能な前後方向の長さが、第１引出トレイ３１における用紙Ｐを支持することが可能な前後方向の長さに比べて著しく短くなる。この結果、用紙Ｐを支持するために必要な前後方向（排紙方向）の長さを得るために、排紙トレイ２１を構成する引出トレイの段数を増やさなくてはならなくなってしまう。
【００４５】
そして、排紙トレイ２１の準備が整った後、記録ヘッド１９による用紙Ｐへの印刷が行われると、印刷後の用紙Ｐは、本体ケース１２の排紙口２０から排紙トレイ２１上に順次積載される。
【００４６】
また、全ての用紙Ｐの印刷が完了した後は、補助トレイ５２を使用位置から収納位置へ回動させた状態で、第２引出トレイ３２を第１引出トレイ３１へ向かって後方へ押圧すると、図３及び図６に示すように、第２引出トレイ３２の各第２摺動部４９が第１引出トレイ３１の各摺動溝４０内を摺動して各係止孔４７と各係止片３３とが係止状態になる。このとき、第１引出トレイ３１の第２横板部３９は、第２引出トレイ３２の収納溝４８内に収納される。
【００４７】
引き続き、第１引出トレイ３１を第２引出トレイ３２とともに本体ケース１２へ向かって後方へ押圧すると、図３に示すように、各後側係止凸部３６ａと各レール部材３０の第１ストッパー３０ｂとの係止状態が解除されるとともに、第１引出トレイ３１の各第１摺動部３４が各レール部材３０のレール溝３０ａ内を摺動して、本体ケース１２の下側に両引出トレイ３１，３２（排紙トレイ２１）が収納される。
【００４８】
このとき、各前側係止凸部３６ｂと各レール部材３０の第１ストッパー３０ｂとが係止状態になる。さらに、このとき、第２引出トレイ３２の第１舌片部４６は、第１引出トレイ３１の後端よりも後方側へ突出するが、本体ケース１２の後端まで達することはない。
【００４９】
以上、詳述した第１実施形態によれば以下の効果を得ることができる。
（１）本体ケース１２から排紙トレイ２１が引き出された状態において、第２引出トレイ３２は、用紙Ｐを支持する第１用紙支持部４５とは別に形成されるとともに第１引出トレイ３１に上下に重なるように支持される第１舌片部４６を備えている。このため、第２引出トレイ３２の第１用紙支持部４５が第１引出トレイ３１と上下に重なることがほとんどなくなるので、第２引出トレイ３２の第１用紙支持部４５の前後方向のほぼ全ての長さ分を、用紙Ｐを支持するための領域に充てることができる。したがって、第２引出トレイ３２における用紙Ｐを支持することが可能な前後方向の長さが、第１引出トレイ３１における用紙Ｐを支持することが可能な前後方向の長さに比べて短くなることを抑制することができる。
【００５０】
（２）第２引出トレイ３２の第１舌片部４６は、排紙トレイ２１の引き出し方向側（前方側）とは反対側である後方側に形成されている。このため、第１引出トレイ３１から第２引出トレイ３２を引き出した際に、第２引出トレイ３２の第１舌片部４６を、第１引出トレイ３１に容易に重ねて支持させることができる。
【００５１】
（第２実施形態）
以下、本発明の第２実施形態を上記第１実施形態と異なる点を中心に説明する。
この第２実施形態は、図１０〜図１３に示すように、上記第１実施形態における排紙トレイ２１において、第１引出トレイ３１と第２引出トレイ３２との間に中間引出トレイ６０を介在させて、排紙トレイ２１を３段式（３段スライド式）にしたものである。したがって、本実施形態の排紙トレイ２１では、１段目の第１引出トレイ３１がＮ段目の引出トレイとして機能し、２段目の中間引出トレイ６０がＮ＋１段目の引出トレイとして機能し、３段目の第２引出トレイ３２がＮ＋２段目の引出トレイとして機能する。
【００５２】
図１０及び図１１に示すように、中間引出トレイ６０は、第２引出トレイ３２において収納凹部５１及び補助トレイ５２を省略した構成とほぼ同じ構成になっている。すなわち、中間引出トレイ６０は、下側が開口するとともに深さが浅い有底矩形箱状をなし且つ排紙口２０（図１参照）から排紙される用紙Ｐ（図１参照）を支持するシート支持部としての第２用紙支持部６１と、第２用紙支持部６１の後壁の下端から後方へ向かって延びる重なり部としての矩形板状の第２舌片部６２とを備えている。
【００５３】
左右方向において、中間引出トレイ６０の幅は、第１引出トレイ３１の幅よりも狭く、且つ第２引出トレイ３２の幅よりも広い。中間引出トレイ６０は、左右両側壁の外側が第１引出トレイ３１によって前後方向に摺動可能に支持されるとともに、左右両側壁の内側が第２引出トレイ３２を前後方向に摺動可能に支持している。なお、中間引出トレイ６０の第２用紙支持部６１の上面には、前後方向に延びるとともに左右方向に等間隔で配置された複数（本実施形態では３つ）のリブ６１ａが形成されている。
【００５４】
そして、排紙トレイ２１の引き出し状態においては、第２引出トレイ３２の第１舌片部４６が中間引出トレイ６０の第２用紙支持部６１と上下方向（排紙トレイ２１に対する用紙Ｐの積載方向）において重なるとともに、中間引出トレイ６０の第２舌片部６２が第１引出トレイ３１と上下方向において重なる。
【００５５】
また、図１２及び図１３に示すように、排紙トレイ２１は、本体ケース１２に収納された状態では、第２引出トレイ３２の第１舌片部４６と中間引出トレイ６０の第２舌片部６２とが上下方向において重なる。この場合、第１舌片部４６の後端面と第２舌片部６２の後端面とは面一になっている。すなわち、第１舌片部４６と第２舌片部６２とは、排紙トレイ２１の引き出し方向側（前側）とは反対側（後側）の端部が揃っている。
【００５６】
なお、排紙トレイ２１は、上記第１実施形態と同様に、本体ケース１２への収納状態において、その下端が本体ケース１２の下端よりも上側に位置している。このため、上記第１実施形態と同様に、排紙トレイ２１を本体ケース１２から引き出したり本体ケース１２に収納したりしても、インクジェット式プリンター１１（本体ケース１２）を載置した載置面に該排紙トレイ２１が接触することはない。
【００５７】
以上、詳述した第２実施形態によれば、上記（１）及び（２）に記載の効果に加えて、以下の効果を得ることができる。
（３）排紙トレイ２１は、本体ケース１２に収納された状態では、第２引出トレイ３２の第１舌片部４６と中間引出トレイ６０の第２舌片部６２とが上下方向において重なる。このため、本体ケース１２に対して排紙トレイ２１を、特に前後方向においてコンパクトに収納することができる。
【００５８】
（４）排紙トレイ２１は、本体ケース１２に収納された状態では、第１舌片部４６の後端部と第２舌片部６２の後端部とが揃っている。このため、本体ケース１２に対して排紙トレイ２１を整った状態で収納することができる。
（変更例）
なお、上記各実施形態は以下のような別の実施形態に変更してもよい。
【００５９】
・第２引出トレイ３２の第１舌片部４６は、第２引出トレイ３２における排紙トレイ２１の引き出し方向側（前方側）とは反対側である後方側以外に形成してもよい。例えば、第２引出トレイ３２の第１舌片部４６を、第２引出トレイ３２における左右の両端部に形成するようにしてもよい。
【００６０】
・排紙トレイ２１は、４段以上の引出トレイによって構成してもよい。
・排紙トレイ２１の収納状態において、第１舌片部４６と第２舌片部６２とは、必ずしも排紙トレイ２１の引き出し方向側（前側）とは反対側（後側）の端部が揃っている必要はない。
【００６１】
・記録ヘッド１９は、用紙Ｐの幅方向に沿って固定配置されたヘッド本体に各ノズルが略用紙幅にわたって形成された所謂ラインヘッド方式のヘッドにより構成してもよい。この場合、固定されて動かないラインヘッド方式のヘッドの各ノズルから、搬送経路に沿って搬送される用紙に対してインクが噴射されることで印刷がなされる。
【００６２】
・用紙Ｐの代わりに、プラスチックフィルム、布、金属箔などをシートとして用いてもよい。
・上記実施形態では、記録装置をインクジェット式プリンター１１に具体化したが、インク以外の他の液体を噴射したり吐出したりする液体噴射装置を採用してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【００６３】
さらに、上記実施形態より把握できる技術的思想について以下に記載する。
（イ）Ｎ＋１段目の前記トレイの幅は、Ｎ段目の前記トレイの幅よりも狭くなっていることを特徴とする請求項１〜請求項４のうちいずれか一項に記載の記録装置。
【００６４】
このようにすれば、Ｎ段目のトレイに対してＮ＋１段目のトレイを容易に収納することができる。
【符号の説明】
【００６５】
１１…記録装置としてのインクジェット式プリンター、１２…筐体としての本体ケース、１９…記録部としての記録ヘッド、２０…排出口としての排紙口、２１…排出トレイとしての排紙トレイ、３１…第１引出トレイ、３２…第２引出トレイ、４５…シート支持部としての第１用紙支持部、４６…重なり部としての第１舌片部、６０…中間引出トレイ、６１…シート支持部としての第２用紙支持部、６２…重なり部としての第２舌片部、Ｐ…シートとしての用紙。
【図１】
2013166633.tif 000003
【図２】
2013166633.tif 000004
【図３】
2013166633.tif 000005
【図４】
2013166633.tif 000006
【図５】
2013166633.tif 000007
【図６】
2013166633.tif 000008
【図７】
2013166633.tif 000009
【図８】
2013166633.tif 000010
【図９】
2013166633.tif 000011
【図１０】
2013166633.tif 000012
【図１１】
2013166633.tif 000013
【図１２】
2013166633.tif 000014
【図１３】
2013166633.tif 000015